(57)【要約】【課題】閲覧履歴から所望の箇所を容易に迅速に検索または特定可能な閲覧システム、方法、およびプログラムを提供する。【解決手段】閲覧システムは、一連の発言の音声を音声認識処理し、認識結果をテキストに変換し、得られた音声およびテキストが発言ごとの時刻に互いに関連付けてそれぞれ記憶された記憶部１０４および１１４を参照し、認識結果を時系列で表示する発言一覧表示部１２０と、表示された中から再生開始の発言を受け付ける再生指示受付部１２２と、記憶部１０４および１１４を参照し、選択された発言から、時刻に基づいて音声とテキストを関連付けて、同期して再生する再生部１２４と、再生した音声のテキストを、その再生指示順の再生ＩＤに関連付けて再生履歴として記録する再生履歴記録部１３０と、記録された再生履歴のテキストを再生ＩＤに基づいて並べて表示する再生履歴表示部１４０と、を備える。【選択図】図１
2010238050.tif 000002
【特許請求の範囲】
【請求項１】
一連の発言の音声を音声認識処理し、音声認識結果をテキストデータに変換し、得られた前記音声の音声データおよび前記テキストデータが発言ごとの時刻情報に互いに関連付けられてそれぞれ記憶された音声記憶装置および音声認識結果記憶装置を参照し、前記一連の発言の前記音声の前記音声認識結果を時系列で発言一覧画面に表示する発言一覧表示手段と、
前記発言一覧画面に表示された前記一連の発言の中から発言の選択を受け付ける選択受付手段と、
前記選択受付手段で選択された発言に対する前記音声の前記テキストデータを、その選択指示順を識別する選択識別情報に関連付けて選択履歴として記録する選択履歴記録手段と、
記録された前記選択履歴のテキストデータを前記選択識別情報に基づいて並べて選択履歴一覧画面に表示する選択履歴表示手段と、を備える閲覧システム。
【請求項２】
請求項１に記載の閲覧システムにおいて、
前記選択受付手段は、前記選択履歴一覧画面に表示された前記選択履歴の中から、さらに発言の選択を受け付ける閲覧システム。
【請求項３】
請求項１または２に記載の閲覧システムにおいて、
前記選択履歴記録手段は、前記選択受付手段で選択された発言に対する前記音声の前記テキストデータを、その選択時刻情報に関連付けて選択履歴として記録し、
前記選択履歴表示手段は、前記選択時刻情報に基づいて、記録された前記選択履歴を前記選択履歴一覧画面に表示する閲覧システム。
【請求項４】
請求項１乃至３いずれかに記載の閲覧システムにおいて、
前記選択履歴記録手段は、前記選択受付手段で選択された発言に対する前記音声の前記テキストデータの選択回数を計数する選択回数計数手段をさらに備え、
前記選択履歴表示手段は、前記選択回数に基づいて、記録された前記選択履歴を前記選択履歴一覧画面に表示する閲覧システム。
【請求項５】
請求項４に記載の閲覧システムにおいて、
前記選択履歴一覧画面に表示する前記選択履歴の前記選択時刻情報の指定を受け付ける時刻指定受付手段をさらに備え、
前記選択履歴表示手段は、指定された前記選択時刻情報に基づいて、記録された前記選択履歴を前記選択履歴一覧画面に表示する閲覧システム。
【請求項６】
請求項１乃至５いずれかに記載の閲覧システムにおいて、
前記選択履歴一覧画面に表示された前記発言に対する任意の操作を受け付ける操作受付手段と、
受け付けた前記操作を実行する実行手段と、をさらに備える閲覧システム。
【請求項７】
請求項６に記載の閲覧システムにおいて、
前記操作受付手段は、前記選択履歴一覧画面に表示された前記発言の中から不要な発言の削除指示を受け付け、
前記実行手段は、前記削除指示を受け付けた前記発言を前記選択履歴から削除する閲覧システム。
【請求項８】
請求項１乃至７いずれかに記載の閲覧システムにおいて、
記録された前記選択履歴の中から所定の条件を満たす発言を抽出し、抽出された前記発言に、所定の識別情報を付与する抽出手段をさらに備え、
前記選択履歴表示手段は、抽出された前記発言を識別可能に表示する閲覧システム。
【請求項９】
請求項１乃至８いずれかに記載の閲覧システムにおいて、
前記選択履歴記録手段に記録された前記選択履歴を外部に出力する出力手段をさらに備える閲覧システム。
【請求項１０】
請求項１乃至９いずれかに記載の閲覧システムにおいて、
前記発言一覧画面に表示される発言の中から絞り込むための検索条件を受け付ける条件受付手段と、
前記音声認識結果記憶装置を参照し、前記検索条件に従って前記発言を検索する検索手段と、
検索された検索結果を検索結果一覧画面として表示する検索結果表示手段と、をさらに備え、
前記選択受付手段は、前記検索結果一覧画面に表示された発言の中から発言の選択を受け付ける閲覧システム。
【請求項１１】
請求項１乃至１０いずれかに記載の閲覧システムにおいて、
前記音声記憶装置および前記音声認識結果記憶装置を参照し、前記選択受付手段により選択された前記発言から、前記時刻情報に基づいて前記音声データと前記テキストデータを関連付けて、同期して再生する再生手段をさらに備える閲覧システム。
【請求項１２】
一連の発言の音声を音声認識処理し、音声認識結果をテキストデータに変換し、得られた前記音声の音声データおよび前記テキストデータが発言ごとの時刻情報に互いに関連付けられてそれぞれ記憶された音声記憶装置および音声認識結果記憶装置を参照し、前記一連の発言の前記音声の前記音声認識結果を時系列で発言一覧画面に表示し、
前記発言一覧画面に表示された前記一連の発言の中から発言の選択を受け付け、
選択された発言に対する前記音声の前記テキストデータを、その選択指示順を識別する選択識別情報に関連付けて選択履歴として選択履歴記録装置に記録し、
記録された前記選択履歴のテキストデータを前記選択識別情報に基づいて並べて選択履歴一覧画面に表示する閲覧方法。
【請求項１３】
請求項１２に記載の閲覧方法において、
前記音声記憶装置および前記音声認識結果記憶装置を参照し、選択された前記発言から、前記時刻情報に基づいて前記音声データと前記テキストデータを関連付けて、同期して再生する閲覧方法。
【請求項１４】
一連の発言の音声を音声認識処理し、音声認識結果をテキストデータに変換し、得られた前記音声の音声データおよび前記テキストデータが発言ごとの時刻情報に互いに関連付けられてそれぞれ記憶された音声記憶装置および音声認識結果記憶装置を参照し、前記一連の発言の前記音声の前記音声認識結果を時系列で発言一覧画面に表示する手順と、
前記発言一覧画面に表示された前記一連の発言の中から発言の選択を受け付ける手順と、
選択された発言に対する前記音声の前記テキストデータを、その選択指示順を識別する選択識別情報に関連付けて選択履歴として記録する手順と、
記録された前記選択履歴のテキストデータを前記選択識別情報に基づいて並べて選択履歴一覧画面に表示する手順と、をコンピュータに実行させるためのコンピュータプログラム。
【請求項１５】
請求項１４に記載のコンピュータプログラムにおいて、
前記音声記憶装置および前記音声認識結果記憶装置を参照し、前記選択を受け付ける手順で選択された前記発言から、前記時刻情報に基づいて前記音声データと前記テキストデータを関連付けて、同期して再生する再生手順をコンピュータにさらに実行させるためのコンピュータプログラム。
【発明の詳細な説明】
【技術分野】
【０００１】
本発明は、閲覧システム、方法、およびプログラムに関する。
【背景技術】
【０００２】
近年、たとえば会議等、複数の発言者が存在する場において、議事録作成を容易にする等の目的のために、音声認識技術を用いることが検討されている。音声認識技術を用いて議事録等を作成した後、音声認識結果のテキストを表示させながらユーザが音声を聞き、議事内容について再生確認しながら議論を行うことがある。
【０００３】
複数人が会議を行った議事録を自動的に作成して記憶する会議システムの一例が特許文献１に記載されている。特許文献１の会議システムは、発言者の音声を入力するマイクロフォンが設けられた複数の端末装置と、複数の端末装置にネットワークを介して接続され、発言者に関連する情報を記憶するサーバとを備え、サーバが、少なくとも１つの端末装置から送信される端末特定情報に基づいて発言者および発言時刻を特定する発言者特定手段と、特定された発言者の音声をテキスト化し且つ音声テキストを発言時刻と共に記憶する音声テキスト記憶手段と、ネットワーク会議の資料として使用される画像ファイルおよび画像ファイルの表示時刻を記憶する画像記憶手段と、音声テキスト、発言時刻、画像ファイルおよび表示時刻に関連付けされた議事録ファイルを作成する議事録作成手段と、から構成されている。さらに、発言時刻に応じて音声テキストを表示すると共に、表示時刻に応じて画像ファイルを表示する議事録表示手段を備えることが記載されている。
【０００４】
これにより、実際の会議進行と同様の会議進行を可能にすると共に第三者が会議内容をリアルに追体験可能な議事録の作成を実現することができるとされている。
【０００５】
また、裁判や会議のような特殊な状況で収録された音声を認識し、文書を作成する音声認識システムの一例が特許文献２に記載されている。特許文献２の音声認識システムは、音声データを取得するためのマイクロフォンと、マイクロフォンにて取得された音声データに対して、発話区間を特定し、各発話区間の音声認識を行い、得られた発話区間ごとの認識データの文字列と音声データとを発話時刻の情報により対応付ける音声認識処理部と、音声認識処理部の処理により得られた発話区間ごとの認識データからテキストを作成するテキスト作成部と、テキスト作成部にて作成されたテキストを表示出力する出力制御部と、から構成されている。
【０００６】
これにより、音声認識によって書き起こされたテキストに対して修正が行われた場合でも、修正後のテキストと元の音声との間に適当な対応付けを行うことができ、特に、裁判や会議といった特殊な状況で取得された音声のテキストへの書き起こしに適しているとされている。
【０００７】
特許文献３には、会議の属性を記述する情報（会議名、参加者、日時及び場所等）とグループ化された会議の音声及び画像とを関連付ける情報処理装置が記載されている。この情報処理装置において、履歴表示行列ＭＳは、資料グループを表す表示である資料リンク表示ＬＳと、会議に関する情報である会議名ＮＭとを、会議の開催日付に基づいて時系列に履歴表示画面に表示することが記載されている。
【０００８】
特許文献４には、開発プロジェクトの進行に伴って作成又は修正される文書と、その文書のレビュー会議の議事録とを関連付けて管理する議事録管理システムが記載されている。これにより、開発プロジェクトの進行に伴って作成又は修正される文書のバージョンとそのバージョンについてレビューした会議とを対応付け、時系列の順に配列して表示することができるとされている。また、数回のレビュー会議が行われ、その都度文書の作成又は修正が発生し、文書情報テーブルによりその議事録とリンクがとられていることを示す文書作成履歴一覧画面を表示できることが記載されている。
【先行技術文献】
【特許文献】
【０００９】
【特許文献１】特開２００７−１８０８２８号公報
【特許文献２】特開２００５−１６５０６６号公報
【特許文献３】特開２００８−１５８８１２号公報
【特許文献４】特開２００１−５８７４号公報
【発明の概要】
【発明が解決しようとする課題】
【００１０】
議事録を見ながら、会議内容について再度議論する場合、議論ポイントとなる部分は限定されている場合が多く、この場合にその他の議事録部分については不要である。そのため、議事録のうち同じポイントについて何度も議論するような場合、議事録全体からその箇所を容易に特定または検索できないと、長時間に及ぶ会議の議事録全体からその箇所を見つけ出すのに時間がかかるとともに、何度も同じ箇所を探さなければならず、時間を浪費してしまうという問題点があった。
【００１１】
上述した特許文献１および２に記載のシステムにおいては、音声をテキスト化することにより会議議事録を作成することは記載されているが、議事録を部分的にポイント再生しながら特定の箇所について繰り返し集中的に再度議論することや、さらに、議事録を参照した閲覧履歴を記録して表示することは記載されていない。
【００１２】
また、上述した特許文献３および４に記載のシステムにおいては、会議資料と会議情報とを関連付けたものを、会議の開催日付に基づいて時系列にスケジュール上に並べる点や、特許文献４には、レビュー議事録を議論した順に日付とともに文書作成履歴一覧に表示する点が記載されているものの、議事録の一連の内容ごとに閲覧履歴を記録することができないので、議事録の中から議論のポイントを探すのに手間がかかる。
【００１３】
本発明の目的は、上述した課題である議事録などを閲覧しながら、その内容について議論するために繰り返し見直す場合に、毎回特定の箇所を探す労力と時間の浪費を解決する閲覧システム、方法、およびプログラムを提供することにある。
【課題を解決するための手段】
【００１４】
本発明の閲覧システムは、一連の発言の音声を音声認識処理し、音声認識結果をテキストデータに変換し、得られた前記音声の音声データおよび前記テキストデータが発言ごとの時刻情報に互いに関連付けられてそれぞれ記憶された音声記憶装置および音声認識結果記憶装置を参照し、前記一連の発言の前記音声の前記音声認識結果を時系列で発言一覧画面に表示する発言一覧表示手段と、
前記発言一覧画面に表示された前記一連の発言の中から発言の選択を受け付ける選択受付手段と、
前記選択受付手段で選択された発言に対する前記音声の前記テキストデータを、その選択指示順を識別する選択識別情報に関連付けて選択履歴として記録する選択履歴記録手段と、
記録された前記選択履歴のテキストデータを前記選択識別情報に基づいて並べて選択履歴一覧画面に表示する選択履歴表示手段と、を備える。
【００１５】
本発明の閲覧方法は、一連の発言の音声を音声認識処理し、音声認識結果をテキストデータに変換し、得られた前記音声の音声データおよび前記テキストデータが発言ごとの時刻情報に互いに関連付けられてそれぞれ記憶された音声記憶装置および音声認識結果記憶装置を参照し、前記一連の発言の前記音声の前記音声認識結果を時系列で発言一覧画面に表示し、
前記発言一覧画面に表示された前記一連の発言の中から発言の選択を受け付け、
選択された発言に対する前記音声の前記テキストデータを、その選択指示順を識別する選択識別情報に関連付けて選択履歴として選択履歴記録装置に記録し、
記録された前記選択履歴のテキストデータを前記選択識別情報に基づいて並べて選択履歴一覧画面に表示する。
【００１６】
本発明のコンピュータプログラムは、一連の発言の音声を音声認識処理し、音声認識結果をテキストデータに変換し、得られた前記音声の音声データおよび前記テキストデータが発言ごとの時刻情報に互いに関連付けられてそれぞれ記憶された音声記憶装置および音声認識結果記憶装置を参照し、前記一連の発言の前記音声の前記音声認識結果を時系列で発言一覧画面に表示する手順と、
前記発言一覧画面に表示された前記一連の発言の中から発言の選択を受け付ける手順と、
選択された発言に対する前記音声の前記テキストデータを、その選択指示順を識別する選択識別情報に関連付けて選択履歴として記録する手順と、
記録された前記選択履歴のテキストデータを前記選択識別情報に基づいて並べて選択履歴一覧画面に表示する手順と、をコンピュータに実行させるためのコンピュータプログラム。
【００１７】
なお、以上の構成要素の任意の組合せ、本発明の表現を方法、装置、システム、記録媒体、コンピュータプログラムなどの間で変換したものもまた、本発明の態様として有効である。
【００１８】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１９】
また、本発明の方法およびコンピュータプログラムには複数の手順を順番に記載してあるが、その記載の順番は複数の手順を実行する順番を限定するものではない。このため、本発明の方法およびコンピュータプログラムを実施するときには、その複数の手順の順番は内容的に支障しない範囲で変更することができる。
【００２０】
さらに、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００２１】
本発明によれば、再生履歴から所望の箇所を容易に迅速に検索または特定できる閲覧システム、方法、およびプログラムが提供される。
【図面の簡単な説明】
【００２２】
【図１】本発明の実施の形態に係る音声再生システムの構成を示す機能ブロック図である。
【図２】本発明の実施の形態に係る音声再生システムの記憶部の構造の一例を示す図である。
【図３】本発明の実施の形態に係る音声再生システムの画面の一例を示す図である。
【図４】本発明の実施の形態に係る音声再生システムの動作の一例を示すフローチャートである。
【図５】本発明の実施の形態に係る音声再生システムの構成を示す機能ブロック図である。
【図６】本発明の実施の形態に係る音声再生システムの画面の一例を示す図である。
【図７】本発明の実施の形態に係る音声再生システムの画面の一例を示す図である。
【図８】本発明の実施の形態に係る音声再生システムの動作の一例を示すフローチャートである。
【図９】本発明の実施の形態に係る音声再生システムの再生履歴一覧画面の例を示す図である。
【図１０】本発明の実施の形態に係る音声再生システムの構成を示す機能ブロック図である。
【図１１】本発明の実施の形態に係る音声再生システムの検索画面の一例を示す図である。
【図１２】本発明の実施の形態に係る音声再生システムの動作の一例を示すフローチャートである。
【図１３】本発明の実施の形態に係る音声再生システムの構成を示す機能ブロック図である。
【図１４】本発明の実施の形態に係る音声再生システムの記憶部の構造の一例を示す図である。
【図１５】本発明の実施の形態に係る音声再生システムの再生リストの一例を示す図である。
【図１６】本発明の実施の形態に係る音声再生システムの動作の一例を示すフローチャートである。
【発明を実施するための形態】
【００２３】
以下、本発明の実施の形態について、図面を用いて説明する。尚、すべての図面において、同様な構成要素には同様の符号を付し、適宜説明を省略する。
【００２４】
（第１の実施の形態）
図１は、本発明の実施の形態に係る音声再生システム１００の構成を示す機能ブロック図である。
本実施形態の閲覧システム（音声再生システム１００）は、一連の発言の音声を音声認識処理し、音声認識結果をテキストデータに変換し、得られた前記音声の音声データおよび前記テキストデータが発言ごとの時刻情報に互いに関連付けられてそれぞれ記憶された音声記憶部１０４および音声認識結果記憶部１１４を参照し、一連の発言の音声の音声認識結果を時系列で発言一覧画面に表示する発言一覧表示部１２０と、発言一覧画面に表示された一連の発言の中から発言の選択を受け付ける選択受付部（第１再生指示受付部１２２）と、第１再生指示受付部１２２で選択された発言に対する音声のテキストデータを、その選択指示順（再生指示順）を識別する選択識別情報（再生識別情報）に関連付けて選択履歴（再生履歴）として記録する選択履歴記録部（再生履歴記録部１３０）と、記録された選択履歴（再生履歴）のテキストデータを選択識別情報（再生識別情報）に基づいて並べて選択履歴一覧画面（再生履歴一覧画面）に表示する選択履歴表示部（再生履歴表示部１４０）と、を備える。
【００２５】
本実施形態の閲覧システム（音声再生システム１００）において、音声記憶部１０４および音声認識結果記憶部１１４を参照し、選択指示受付部（第１再生指示受付部１２２）により選択された発言から、時刻情報に基づいて音声データとテキストデータを関連付けて、同期して再生する第１再生部１２４をさらに備える。
なお、本実施形態において、本発明の実施の形態に係る閲覧システムとして、音声再生システム１００を例に説明するが、発言一覧画面に表示された一連の発言の中から選択された発言は、必ずしも再生される必要はなく、少なくとも選択履歴一覧画面として閲覧できればよい。
【００２６】
さらに、本実施形態の音声再生システム１００は、再生履歴一覧画面に表示された再生履歴の中から、再生する発言の選択を受け付ける第２再生指示受付部１４２と、音声認識結果記憶部１１４および再生履歴記録部１３０を参照し、選択された発言から、再生識別情報および時刻情報に基づいて音声データとテキストデータを関連付けて、同期して再生する第２再生部１４４と、を備える。
【００２７】
なお、以下の各図において、本発明の本質に関わらない部分の構成については省略してあり、たとえば、図示されていない。
【００２８】
また、音声再生システムの各構成要素は、任意のコンピュータのＣＰＵ（Central Processing Unit）、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００２９】
また、音声再生システム１００は、キーボードやマウス等の入力装置やディスプレイやプリンタ等の出力装置が接続可能なコンピュータであり、たとえば、記録媒体に格納されたコンピュータプログラムにしたがって処理を実行するコンピュータによって各構成要素の各機能が実現される。
【００３０】
本実施形態のコンピュータプログラムは、一連の発言の音声を音声認識処理し、音声認識結果をテキストデータに変換し、得られた音声の音声データおよびテキストデータが発言ごとの時刻情報に互いに関連付けられてそれぞれ記憶された音声記憶部１０４および音声認識結果記憶部１１４を参照し、一連の発言の音声の音声認識結果を時系列で発言一覧画面に表示する手順と、発言一覧画面に表示された一連の発言の中から発言の選択を受け付ける手順と、選択された発言に対する音声のテキストデータを、その再生指示順を識別する再生識別情報に関連付けて再生履歴として記録する手順と、記録された再生履歴のテキストデータを再生識別情報に基づいて並べて再生履歴一覧画面に表示する手順と、をコンピュータに実行させるように記述されている。
【００３１】
さらに、本実施形態のコンピュータプログラムは、音声記憶部１０４および音声認識結果記憶部１１４を参照し、選択指示受付手順で選択された発言から、時刻情報に基づいて音声データとテキストデータを関連付けて、同期して再生する再生手順をコンピュータに実行させるように記述されている。
【００３２】
具体的には、音声再生システム１００は、発言一覧表示部１２０と、第１再生指示受付部１２２と、第１再生部１２４と、再生履歴記録部１３０と、再生履歴表示部１４０と、第２再生指示受付部１４２と、第２再生部１４４と、を備えている。
【００３３】
音声再生システム１００は、さらに、音声取得部１０２、音声記憶部１０４、音声認識部１１２、および音声認識結果記憶部１１４を有する音声認識システム１１０と接続可能である。音声認識システム１１０において、音声取得部１０２は、マイクロフォンなどの音声入力部（不図示）から入力された発言者の一連の発言の音声を取得する。音声認識部１１２は、時刻情報と関連付けられた発言ごとに音声認識処理し、音声認識結果をテキストデータに変換する。
【００３４】
図２に示すように、音声記憶部１０４は、音声取得部１０２が取得した音声を音声データとして時刻情報と関連付けられた発言ごとに記憶する。音声認識結果記憶部１１４は、音声認識部１１２により変換されたテキストデータを時刻情報と関連付けられた発言ごとにテキスト区間として記憶する。これにより、音声の音声データおよびテキストデータが、発言ごとの時刻情報に互いに関連付けて音声記憶部１０４および音声認識結果記憶部１１４にそれぞれ記憶される。
【００３５】
図２の例では、音声認識結果記憶部１１４は、時刻情報ごとに、テキストデータの識別情報となるテキスト区間、発言者の識別情報、テキストデータが関連付けられて記憶される。
【００３６】
図１に戻り、発言一覧表示部１２０は、音声記憶部１０４および音声認識結果記憶部１１４を参照し、一連の発言の音声の音声認識結果を時系列で発言一覧画面に表示する。この画面の一例として、図３（ａ）の発言一覧画面１５０は、発言リスト１５２を含む。発言リスト１５２は、名前や呼称など発言者を区別する発言者名１５４と、音声認識処理された発言内容１５６を示すテキストデータとが表示される。発言リスト１５２には、これらの情報が発言ごとに時系列で表示される。
なお、発言リスト１５２において、たとえば、発言時刻のソート順を逆にしたり、期間を限定して表示したり、発言者でソートしたりできる。
【００３７】
図１に戻り、第１再生指示受付部１２２は、発言一覧画面１５０（図３（ａ））に表示された一連の発言の中から再生開始する発言の選択をユーザ操作により受け付ける。たとえば、図３（ｂ）の発言一覧画面１６０のように、発言リスト１５２の中から再生したい発言の行１６２をユーザ操作によりクリックして選択すると、色替えや反転表示などにより、選択されたことが視認できるようになっている。なお、行１６４は、行１６２の次に選択された箇所を示している。
【００３８】
図１に戻り、第１再生部１２４は、音声記憶部１０４および音声認識結果記憶部１１４を参照し、選択された発言から、時刻情報に基づいて対応する音声データとテキストデータを関連付けて、同期して再生する。音声データは、音声出力制御部（不図示）によりスピーカ（不図示）から出力される。また、テキストデータは、上述した発言一覧画面１５０の発言リスト１５２の中で、音声出力されている箇所のテキストを色替えや反転表示することで、音声出力されている箇所が視認できるように発言一覧表示部１２０により表示される。なお、図１では、第１再生部１２４と音声記憶部１０４や音声認識結果記憶部１１４、再生履歴記録部１３０との間の接続は省略してある。なお、再生は、特に限定されないが、開始位置から連続して再生することができる。
【００３９】
再生履歴記録部１３０は、図２に示すように、第１再生部１２４で再生した音声のテキストデータの識別情報であるテキスト区間を、その再生指示順を識別する再生ＩＤに関連付けて再生履歴として記録する。再生ＩＤは、たとえば、再生指示された順に振られたシリアル番号や、再生時刻情報などである。上述したように、再生された音声は連続して次の発言も出力されるが、再生履歴記録部１３０に議論されるのは、第１再生指示受付部１２２によって再生指示された発言についてのみ記録される。
【００４０】
再生履歴表示部１４０は、記録された再生履歴を再生履歴一覧画面に表示する。図３（ｃ）に、再生履歴一覧画面１７０の一例を示す。たとえば、図３（ｂ）の発言一覧画面１６０上で、ユーザがはじめに行１６２を選択して再生し、次に行１６４を選択して再生し、その後、再び行１６２を選択して再生した場合、このように、再生された順に発言がソートされた再生履歴一覧画面１７０が再生履歴表示部１４０により表示される。
【００４１】
第２再生指示受付部１４２は、再生履歴一覧画面１７０に表示された再生履歴の中から、再生する発言の選択をユーザ操作により受け付ける。すなわち、本実施形態の音声再生システム１００では、一連の発言の発言リスト１５２から発言を選択して再生するだけでなく、一度再生した発言の再生履歴一覧画面１７０のリストから再度発言を選択して再生することができる。再生履歴一覧画面１７０のリストは、発言リスト１５２に比較して通常は大幅に少ないので、発言を探すのが容易である。また、繰り返して再生する場合にも再生履歴一覧画面１７０のリストから再生指示した方が、操作性が大幅に向上する。
【００４２】
図１に戻り、第２再生部１４４は、音声認識結果記憶部１１４および再生履歴記録部１３０を参照し、選択された発言から、再生識別情報および時刻情報に基づいて音声データとテキストデータを関連付けて、同期して再生する。この再生方法などは、第１再生部１２４と同様である。
【００４３】
このように構成された本実施形態の音声再生システム１００の動作について、以下に説明する。図４は、本発明の実施の形態に係る音声再生システム１００の動作の一例を示すフローチャートである。以下、図１乃至４を用いて説明する。
【００４４】
本発明の実施の形態に係る閲覧方法は、一連の発言の音声を音声認識処理し、音声認識結果をテキストデータに変換し（ステップＳ１０５）、得られた音声の音声データおよびテキストデータが発言ごとの時刻情報に互いに関連付けられてそれぞれ記憶された音声記憶部１０４および音声認識結果記憶部１１４を参照し、一連の発言の音声の音声認識結果を時系列で発言一覧画面１５０に表示し（ステップＳ１０９）、発言一覧画面１５０に表示された一連の発言の中から発言の選択を受け付け（ステップＳ１１１）、選択された発言に対する音声のテキストデータを、その再生指示順を識別する再生識別情報に関連付けて再生履歴として再生履歴記録部１３０に記録し（ステップＳ１１５）、記録された再生履歴のテキストデータを再生識別情報に基づいて並べて再生履歴一覧画面１７０に表示する（ステップＳ１１７）。
【００４５】
さらに、本発明の実施の形態に係る閲覧方法は、さらに、音声記憶部１０４および音声認識結果記憶部１１４を参照し、選択された発言から、時刻情報に基づいて音声データとテキストデータを関連付けて、同期して再生する（ステップＳ１１３）。
【００４６】
図４において、ステップＳ１０１〜Ｓ１０７は、音声認識システム１１０で行われる。これにより、議論や解析対象である会議や裁判ごとの音声データとテキストデータを参照して同期させ再生することができる。
詳細には、まず、音声認識システム１１０において、音声取得部１０２が、一例の発言の音声Ａを取得し（ステップＳ１０１）、音声認識部１１２が音声認識処理し、音声認識結果をテキストデータに変換する（ステップＳ１０３）。そして、得られた音声の音声データおよびテキストデータが発言ごとの時刻情報に互いに関連付けてそれぞれ音声記憶部１０４および音声認識結果記憶部１１４に記憶される（ステップＳ１０５、Ｓ１０７）。
【００４７】
このようにして得られた音声データと音声認識結果は、図１の音声記憶部１０４および音声認識結果記憶部１１４に該当する記録媒体またはハードディスクなどの記憶ユニットに記録でき、音声再生システム１００のコンピュータに読み取られ、処理される。会議ごとや裁判所での審理などごとにファイルまたはフォルダに記憶され、音声再生システム１００では、議事内容を閲覧したい会議や公判に該当するファイルなどを選択して処理を行う。
【００４８】
まず、発言一覧表示部１２０が、音声記憶部１０４および音声認識結果記憶部１１４を参照し、一連の発言の音声の音声認識結果を時系列で発言一覧画面１５０に表示する（ステップＳ１０９）。そして、第１再生指示受付部１２２が、発言一覧画面１５０に表示された一連の発言の中から再生開始する発言の選択をユーザ操作により受け付ける（ステップＳ１１１）。ユーザからの再生開始指示に呼応して、第１再生部１２４が、音声記憶部１０４および音声認識結果記憶部１１４を参照し、選択された発言から、時刻情報に基づいて音声データとテキストデータを関連付けて、同期して再生する（ステップＳ１１３）。上述したように、音声が出力されるとともに、発言リスト１５２の該当箇所が色替え表示などされて、どこの発言を再生しているか視認できるようになっている。
【００４９】
発言一覧表示部１２０または第１再生部１２４が、再生した音声のテキストデータを、その再生指示順を識別する再生識別情報に関連付けて再生履歴として再生履歴記録部１３０に記録する（ステップＳ１１５）。再生履歴表示部１４０が、再生履歴記録部１３０に記録された再生履歴のテキストデータを再生ＩＤに基づいて並べて再生履歴一覧画面１７０に表示する（ステップＳ１１７）。なお、図１では、第１再生部１２４と音声認識システム１１０および再生履歴記録部１３０との間の接続は省略してある。
【００５０】
そして、再生履歴一覧画面１７０を表示した状態で、第２再生指示受付部１４２が、再生履歴一覧画面１７０に表示された再生履歴の中から、再生する発言の選択をユーザ操作により受け付ける（ステップＳ１１９）。ユーザからの再生開始指示に呼応して、第２再生部１４４が、音声認識結果記憶部１１４および再生履歴記録部１３０を参照し、再生開始指示により選択された発言から、再生識別情報および時刻情報に基づいて音声データとテキストデータを関連付けて、同期して再生する（ステップＳ１２１）。この再生方法などは、第１再生部１２４と同様である。なお、図１では、第２再生部１４４と音声認識システム１１０および再生履歴記録部１３０との間の接続は省略してある。
【００５１】
以上説明したように、本発明の実施形態の音声再生システム１００によれば、再生履歴から所望の箇所を容易に迅速に検索または特定して再生できる。すなわち、議事録などを閲覧しながら、その内容について議論するために繰り返し見直す場合に、毎回特定の箇所を探す労力と時間の浪費を解決することができる。
【００５２】
たとえば、音声再生システム１００で作成した音声認識結果は、会議や裁判などの議事録として利用できる。たとえば、この議事録の中で、必要なテキスト区間のみについて、過去に見た選択順に履歴表示する再生履歴表示部１４０を設けることで、議事録に基づいて再度議論したときの時系列で並ぶため、必要な箇所のみを見つけ出しやすい。特に、複数日にわたって議論する場合にも、前日見た箇所を直ぐに見つけることができる。
【００５３】
本実施形態の音声再生システム１００は、たとえば、会議や裁判などのやりとりを記録した音声データとテキストデータを同期させて再生することができる。再生開始位置は、任意の位置を指定でき、時系列に並んでいる一連の発言のリストを表示し、リストの中から会議や裁判などのやりとりの内容について議論するために、任意の位置から発言を再生して聞きながら議論ができる。たとえば、話者の声が聞き取りづらいような場合や話者の論点に矛盾があるのを確認する場合に聞き直したり、話者の心理状態を推測するために、何度も口調や間合いの息づかいなどを確認する場合など様々な状況で、記録全体の中の一部である何カ所かを繰り返し再生してみることができる。
【００５４】
（第２の実施の形態）
図５は、本発明の実施の形態に係る音声再生システム２００の構成を示す機能ブロック図である。
本実施形態の音声再生システム２００は、上記実施の形態とは、一連の発言の音声とともに、そのときの話者を撮像した映像を同期して再生できる点で相違する。さらに、本実施形態では、再生履歴表示部１４０により表示される再生履歴一覧画面の具体例を示す。
【００５５】
図５において、音声認識システム２１０が、図１の音声認識システム１１０の音声取得部１０２、音声記憶部１０４、音声認識部１１２、および音声認識結果記憶部１１４に加え、映像取得部２０２と、映像記憶部２０４と、を備えている。また、本実施形態の音声再生システム２００は、図１の上記実施形態の音声再生システム１００とは発言一覧表示部１２０、第１再生部１２４、および第２再生部１４４以外、同様の構成を有し、発言一覧表示部１２０、第１再生部１２４、および第２再生部１４４に換えて発言一覧表示部２２０、第１再生部２２４、および第２再生部２４４をさらに有する。
【００５６】
映像取得部２０２は、ビデオカメラ（不図示）などにより話者を撮像した映像Ｖを取得する。映像記憶部２０４は、映像取得部２０２が取得した映像を映像データとして時刻情報に関連付けて記憶する。本実施形態において、音声記憶部１０４に格納されている音声データと、音声認識結果記憶部１１４に格納されているテキストデータと、映像記憶部２０４に格納されている映像データとが、発言ごとの時刻情報に互いに関連付けられる。
【００５７】
発言一覧表示部２２０は、音声記憶部１０４、音声認識結果記憶部１１４、および映像記憶部２０４を参照し、一連の発言の音声の音声認識結果を時系列で発言一覧画面に表示する。第１再生部２２４は、音声記憶部１０４および音声認識結果記憶部１１４を参照し、選択された発言から、時刻情報に基づいて対応する音声データとテキストデータを関連付けて、同期して再生するとともに、ユーザ操作により指定された発言の音声出力に同期させて映像を画面表示する。
【００５８】
図６は、本実施形態の発言一覧表示部２２０が表示する発言一覧画面２５０の一例を示す図である。発言一覧表示部２２０は、発言一覧画面２５０において、発言リスト２５２に加え、映像表示ウインドウ２８０を開くことができ、映像表示ウインドウ２８０に映像記憶部２０４に記憶された映像が音声と同期して再生表示される。
【００５９】
図５に戻り、第１再生部２２４は、音声記憶部１０４、音声認識結果記憶部１１４、および映像記憶部２０４を参照し、選択された発言から、時刻情報に基づいて対応する音声データとテキストデータと映像データを関連付けて、同期して再生する。音声データとテキストデータの再生方法については図１の第１再生部１２４と同様である。映像データは、上述した発言一覧画面２５０の映像表示ウインドウ２８０に表示される。なお、図５では、第１再生部２２４と音声認識システム２１０および再生履歴記録部１３０との間の接続は省略してある。なお、再生は、特に限定されないが、開始位置から連続して再生することができる。
【００６０】
また、図７に示すように、再生履歴表示部１４０は、再生履歴ボタン２７４をユーザ操作により押下された時、再生履歴一覧ウインドウ２７０を開くことができ、再生履歴一覧ウインドウ２７０には、再生リスト２７２が表示される。図７の例では、再生リスト２７２は、時系列で再生した順に発言が並べられて表示されている。再生リスト２７２は、発言時刻、発言者、発言の内容が含まれる。
【００６１】
図５に戻り、第２再生部２４４は、音声記憶部１０４、音声認識結果記憶部１１４、および映像記憶部２０４、再生履歴記録部１３０を参照し、選択された発言から、再生ＩＤおよび時刻情報に基づいて音声データとテキストデータと映像データを関連付けて、同期して再生する。この再生方法などは、第１再生部２２４と同様であり、図５では、第２再生部２４４と音声認識システム２１０および再生履歴記録部１３０との間の接続は省略してある。
【００６２】
このように構成された本実施形態の音声再生システム２００の動作について、以下に説明する。図８は、本発明の実施の形態に係る音声再生システム２００の動作の一例を示すフローチャートである。以下、図５乃至９を用いて説明する。
【００６３】
図８のフローチャートは、上記実施形態の図４のフローチャートと同じステップを有するとともに、さらに、ステップＳ２０１、Ｓ２０３、Ｓ２１１、Ｓ２１３を含む。
【００６４】
まず、音声取得部１０２および音声認識部１１２により、Ｓ１０１からＳ１０７が実行される時、同時に、映像取得部２０２が映像Ｖを取得し（ステップＳ２０１）、映像データとして、対応する音声データと音声認識部１１２の音声認識結果であるテキストデータと発言ごとの時刻情報に互いに関連付けて記憶する（ステップＳ２０３）。
【００６５】
ステップＳ１１１で、第１再生指示受付部１２２が、発言一覧画面２５０（図７）に表示された一連の発言の中から再生開始する発言の選択をユーザ操作により受け付けると、第１再生部２２４が、音声記憶部１０４、音声認識結果記憶部１１４、および映像記憶部２０４を参照し、発言一覧表示部２２０に、一連の発言の音声の音声認識結果を時系列で発言一覧画面２５０に表示させるとともに、ユーザ操作により指定された発言の音声出力に同期させて映像を映像表示ウインドウ２８０（図７）に表示させる（ステップＳ２１１、Ｓ１１３）。なお、ステップＳ１０９で発言一覧表示部２２０は、図６の発言一覧画面２５０を表示している。
【００６６】
そして、ステップＳ１１９で、再生履歴一覧ウインドウ２７０に表示された再生履歴（再生履歴一覧ウインドウ２７０）の中から、再生する発言の選択を受け付けた時、発言一覧表示部２２０が、音声記憶部１０４、音声認識結果記憶部１１４、および映像記憶部２０４を参照し、一連の発言の音声の音声認識結果を時系列で発言一覧画面２５０（図６）に表示する。第２再生部２４４が、音声記憶部１０４および音声認識結果記憶部１１４を参照し、選択された発言から、時刻情報に基づいて音声データとテキストデータを関連付けて、同期して再生するとともに、ユーザ操作により指定された発言の音声出力に同期させて映像を映像表示ウインドウ２８０に画面表示する（ステップＳ２１３、Ｓ１２１）。
【００６７】
本実施形態において、以下に、再生履歴表示の方法について説明する。図９は、本発明の実施の形態に係る音声再生システムの再生履歴一覧画面の例を示す図である。図９（ａ）は、再生回数順に再生履歴をソートして表示する画面の例であり、図９（ｂ）は、再生回数順で再生履歴を表示する画面の例である。なお、図７の例は、再生時刻順で時系列に再生履歴を表示する画面である。
【００６８】
本実施形態の音声再生システム２００において、再生履歴記録部１３０は、第１再生部２２４で再生した音声のテキストデータを、その再生時刻情報に関連付けて再生履歴として記録し、再生履歴表示部１４０は、再生識別情報（再生ＩＤ）に基づいて、記録された再生履歴を時系列で再生履歴一覧ウインドウ２７０に表示する。そして、本実施形態の音声再生システム２００において、再生履歴記録部１３０は、第２再生部２４４で再生した音声のテキストデータの再生回数を計数する再生回数計数部（不図示）を有し、再生履歴表示部１４０は、再生回数に基づいて、記録された再生履歴を再生履歴一覧画面に表示する。
【００６９】
たとえば、図９（ａ）の例では、再生履歴一覧画面２７５は、再生回数が多い順にソートされて表示されるとともに、所定回数以上のもののみ表示している。これにより、再生履歴を再生時刻順に表示する上記実施形態の再生履歴一覧画面１７０に比較して、何回も再生した発言が一目瞭然である。図示していないが、再生回数を表示してもよい。
【００７０】
また、図９（ｂ）の例では、再生履歴一覧画面２８５は、再生回数または頻度に応じて、発言を色替え表示している。たとえば、行２８４の発言の再生回数の方が、行２８２の発言の再生回数よりも多い場合、行２８４の方がより目立つ色に変更することもできる。
【００７１】
すなわち、再生履歴の中でも見る頻度が多いもの（何度も議論するポイント）については再生回数に応じてラベルを自動的に付けることによって、当該ラベルをもとに議論のポイントのみ抽出でき、さらに検索効率が上がることとなる。
【００７２】
以上、説明したように、本発明の実施の形態に係る音声再生システム２００は、上記実施形態と同様な効果を奏するとともに、音声だけでなく映像とテキストデータを同期させて再生することができる。これにより、話者が発言している時の表情や仕草などを確認することもできる。
また、この構成によれば、議論したときの時刻を再生時刻として再生履歴中のテキスト区間と関連付けて登録できるので、再生時刻に基づいてテキスト区間や、テキスト区間に関連付けられた映像を、「いつ議論をしたのか」をキーとして探すことができ、さらに迅速に所望の発言箇所を見つけることができる。
【００７３】
さらに、再生履歴の表示を再生回数の多いものを視認しやすく表示することができるので、繰り返し議論になったポイントが一目瞭然である。
【００７４】
例えば、裁判では被告人に殺意があったかどうかを議論する際、関連ある議事録やその動画について何度も見て、被告人の真意をさぐる場合が想定される。議論のポイントとなるところは何度も見ることが想定され、今後も見る可能性がありうる。このような場合には、再生履歴中の対応するテキスト区間の色を変えるなどのマーキング処理をすることによって、議論ポイントを容易に抽出し、検索できる。別画面に表示できるようにしても良いし、マーキングによって検索ができるようにしても良い。
【００７５】
また、例えば見た頻度によって色を変えることで、再生履歴をみたときに、どのような点について議論を重ねてきたかが一目で分かり、まだ議論していない点がないか、議論が偏っていないかなども容易に視覚的に把握できるという効果もある。また、頻度が大きいということは重点議論ポイント（裁判では「論点」）であることを意味しているから、履歴を別途重要な順に並べたり、重要な論点だけを抽出して検索することもできる。このように、再生履歴が格段に使い易く便利になる。
【００７６】
（第３の実施の形態）
図１０は、本発明の実施の形態に係る音声再生システム３００の構成を示す機能ブロック図である。
本実施形態の音声再生システム３００は、上記実施形態とは、発言一覧画面１５０に表示される発言を条件に従って検索して絞り込み、その中から再生指示を受け付けることができる点で相違する。
【００７７】
本実施形態の音声再生システム３００は、発言一覧画面に表示される発言の中から絞り込むための検索条件を受け付ける条件受付部３０２と、音声認識結果記憶部１１４を参照し、検索条件に従って発言を検索する検索部３０４と、検索された検索結果を検索結果一覧画面として表示する検索結果表示部３０６と、をさらに備え、第１再生指示受付部３２２は、検索結果一覧画面に表示された発言の中から再生開始する発言の選択を受け付ける。
【００７８】
具体的には、本実施形態の音声再生システム３００は、上記実施形態の音声再生システム２００の構成に加え、さらに、条件受付部３０２、検索部３０４、および検索結果表示部３０６を備える。また、上記実施形態の音声再生システム２００の第１再生指示受付部１２２に替えて、第１再生指示受付部３２２を有する。なお、図１の上記実施形態の音声再生システム１００の構成に、これらを組み合わせた構成としてもよい。
【００７９】
条件受付部３０２は、発言一覧画面２５０に表示される発言の中から絞り込むための検索条件を受け付ける。たとえば、図１１に示すように、本実施形態において、発言一覧画面２５０には、検索ボタン３４０が設けられており、検索ボタン３４０の押下により、検索結果表示部３０６が検索画面３５０を表示する。検索画面３５０は、検索条件入力欄３５２と、検索結果表示欄３５４を有する。
【００８０】
条件受付部３０２は、検索条件入力欄３５２に入力または選択された各種検索条件を受け付ける。ここでは、たとえば、検索条件として、発言の内容の文字列、発言者の種別、発言時間、時間帯などを指定できる。
【００８１】
検索部３０４は、検索条件入力欄３５２でユーザ操作により指定された検索条件に従って音声認識結果記憶部１１４を参照し、発言を検索する。
【００８２】
検索結果表示部３０６は、検索された検索結果を検索画面３５０の検索結果表示欄３５４にとして表示する。
【００８３】
そして、本実施形態では、第１再生指示受付部３２２は、検索画面３５０の検索結果表示欄３５４に表示された発言の中から再生開始する発言の選択を受け付ける。
【００８４】
このように構成された本実施形態の音声再生システム３００の動作について、以下に説明する。図１２は、本発明の実施の形態に係る音声再生システムの動作の一例を示すフローチャートである。以下、図１０乃至図１２を用いて説明する。
【００８５】
上記実施形態の音声再生システムの図４または図８のフローチャートのステップＳ１０９において、発言一覧表示部１２０または発言一覧表示部２２０により発言一覧画面１５０または発言一覧画面２５０が表示された後、たとえば、図１１の発言一覧画面２５０の検索ボタン３４０のユーザ操作により押下された時、本処理が開始する。検索結果表示部３０６により検索画面３５０が表示され、検索条件入力欄３５２に入力された検索条件を条件受付部３０２が受け付ける（ステップＳ３０１）。
【００８６】
そして、検索部３０４が、音声認識結果記憶部１１４を参照し、ステップＳ３０１で受け付けた検索条件に従って、該当する発言を検索する（ステップＳ３０３）。検索結果表示部３０６が、ステップＳ３０３で抽出された検索結果を検索結果表示欄３５４に表示する（ステップＳ３０５）。そして、図４または図８に戻り、ステップＳ１１１で、再生開始する発言の選択を第１再生指示受付部３２２が受け付ける。以下は、上記実施形態と同様である。
【００８７】
以上、説明したように、本実施形態の音声再生システム３００によれば、上記実施形態の音声再生システムと同様な効果を奏するとともに、検索条件によって発言内容を絞り込んだ上で、再生指示ができるので、効率よく所望の発言を見つけ出すことが可能になる。
【００８８】
（第４の実施の形態）
図１３は、本発明の実施の形態に係る音声再生システム４００の構成を示す機能ブロック図である。
本実施形態の音声再生システム４００は、上記実施形態とは、たとえば、図７の再生履歴一覧ウインドウ２７０の再生リスト２７２に表示された発言に対して任意の操作を受け付け、操作を実行する点で相違する。
【００８９】
本実施形態の音声再生システム４００は、再生履歴一覧画面１７０に表示された発言に対する任意の操作を受け付ける操作受付部４０２と、受け付けた操作を実行する実行部４０４と、をさらに備える。
たとえば、発言にマーカを付与したり、発言にメモやコメントを入力することができる。
【００９０】
本実施形態において、図１４に示すように、上記実施形態の再生履歴記録部１３０に換えて再生履歴記録部４３０を有する。再生履歴記録部４３０は、再生履歴記録部１３０で記録される情報に加えて、さらに、再生ＩＤごとに、マーカによって区別されたレベルやあるいは、上記実施形態の再生回数に基づくレベル分けや、発言に付与されたメモを記録することができる。
【００９１】
本実施形態では、再生履歴記録部４３０の情報を表示する再生履歴一覧画面４８０は、図１５に示すように、メモ欄４８２を設けることができる。
【００９２】
なお、本実施形態の音声再生システム４００は、図１、５、および１０に示す上記実施形態の音声再生システム１００、音声再生システム２００、および音声再生システム３００のいずれの構成とも組み合わせることができる。
【００９３】
たとえば、操作受付部４０２は、再生履歴一覧画面に表示された発言の中から不要な発言の削除指示を受け付け、実行部４０４は、削除指示を受け付けた発言を再生履歴から削除することができる。
【００９４】
あるいは、記録された前記再生履歴の中から所定の条件を満たす発言を抽出し、抽出された前記発言に、所定の識別情報を付与する抽出部（不図示）をさらに備え、前記再生履歴表示手段は、抽出された前記発言を識別可能に表示することができる。
【００９５】
たとえば、再生回数が所定回数以上のものを抽出したり、所定のマーカのもの、所定のキーワードをメモやコメントに含むもの、所定の日時のものを抽出することができる。抽出された発言は、色替え、ブリンク、反転、マーク付与、別ウインドウ（ポップアップ）表示などにより、視認性を高めて表示するのが好ましい。
【００９６】
このように構成された本実施形態の音声再生システム４００の動作について、以下に説明する。図１６は、本発明の実施の形態に係る音声再生システムの動作の一例を示すフローチャートである。以下、図１３乃至１６を用いて説明する。
【００９７】
上記実施形態の音声再生システムの各図のフローチャートのステップＳ１１７で再生履歴一覧画面が表示された後、操作受付部４０２が各種操作を受け付ける（ステップＳ４０１）。発言の削除をユーザ操作により受け付けた時（ステップＳ４０１の削除）、実行部４０４は、指定された発言を再生履歴記録部４３０の再生履歴から削除する（ステップＳ４０３）。
【００９８】
発言に対するメモ入力をユーザ操作により受け付けた時（ステップＳ４０１のメモ）、実行部４０４は、指定された発言にメモを追記する。ここでは、再生履歴記録部４３０の再生履歴の該当再生ＩＤの情報にメモを記憶する（ステップＳ４０５）。
【００９９】
以上説明したように、本発明の実施の形態に係る音声再生システム４００によれば、上記実施形態と同様な効果を奏するとともに、再生履歴一覧画面の再生リストの各発言に対して、操作が行え、たとえば、再生してみたけれど不要だった発言などを再生履歴から削除することができたり、議論中に発言に対してコメントを付与したくなった場合にも、メモを追記することができ、より効率よく再生履歴を利用することが可能になる。
【０１００】
以上、図面を参照して本発明の実施形態について述べたが、これらは本発明の例示であり、上記以外の様々な構成を採用することもできる。
【０１０１】
たとえば、他の実施形態において、音声再生システムは、上記実施形態の音声再生システムの再生履歴記録部に記録された再生履歴を外部に出力する出力部（不図示）をさらに備えることができる。
この構成によれば、一連の発言を見ながら、議論を行った会議などの議事録として、再生履歴を利用することが可能になる。
【０１０２】
また、他の実施形態において、再生履歴一覧画面に表示する再生履歴の再生時刻の指定を受け付ける時刻指定受付部（不図示）をさらに備えてもよい。再生履歴表示部は、指定された再生時刻に基づいて、記録された再生履歴を再生履歴一覧画面に表示することができる。
【０１０３】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
【符号の説明】
【０１０４】
１００  音声再生システム
１０２  音声取得部
１０４  音声記憶部
１１０  音声認識システム
１１２  音声認識部
１１４  音声認識結果記憶部
１２０  発言一覧表示部
１２２  第１再生指示受付部
１２４  第１再生部
１３０  再生履歴記録部
１４０  再生履歴表示部
１４２  第２再生指示受付部
１４４  第２再生部
１５０  発言一覧画面
１５２  発言リスト
１５４  発言者名
１５６  発言内容
１６０  発言一覧画面
１７０  再生履歴一覧画面
２００  音声再生システム
２０２  映像取得部
２０４  映像記憶部
２１０  音声認識システム
２２０  発言一覧表示部
２２４  第１再生部
２４４  第２再生部
２５０  発言一覧画面
２５２  発言リスト
２７０  再生履歴一覧ウインドウ
２７２  再生リスト
２７４  再生履歴ボタン
２７５  再生履歴一覧画面
２８０  映像表示ウインドウ
２８５  再生履歴一覧画面
３００  音声再生システム
３０２  条件受付部
３０４  検索部
３０６  検索結果表示部
３２２  再生指示受付部
３４０  検索ボタン
３５０  検索画面
３５２  検索条件入力欄
３５４  検索結果表示欄
４００  音声再生システム
４０２  操作受付部
４０４  実行部
４３０  再生履歴記録部
４８０  再生履歴一覧画面
４８２  メモ欄
【図１】
2010238050.tif 000003
【図２】
2010238050.tif 000004
【図３】
2010238050.tif 000005
【図４】
2010238050.tif 000006
【図５】
2010238050.tif 000007
【図６】
2010238050.tif 000008
【図７】
2010238050.tif 000009
【図８】
2010238050.tif 000010
【図９】
2010238050.tif 000011
【図１０】
2010238050.tif 000012
【図１１】
2010238050.tif 000013
【図１２】
2010238050.tif 000014
【図１３】
2010238050.tif 000015
【図１４】
2010238050.tif 000016
【図１５】
2010238050.tif 000017
【図１６】
2010238050.tif 000018